(57)【要約】【課題】固定子鉄心に作用する締め付け力を緩和し、これに伴って固定子鉄心の圧縮応力に起因する鉄損増加を抑制できる固定子を提供する。【解決手段】周方向に磁極ティース７を配置して形成されたドーナツ形状のコアを積層して構成された固定子鉄心５を備え、磁極ティース７は、周方向の外周部にハウジングに固定される複数の固定片を有し、積層方向には、互いに固定片の位置が異なる２種類以上の磁極ティース７ａ、７ｂが積層されている。【選択図】図１
2014166095.tif 000002
【特許請求の範囲】
【請求項１】
周方向に磁極ティースを配置して形成されたドーナツ形状のコアを積層して構成された固定子鉄心を備え、
前記磁極ティースは、周方向の外周部にハウジングに固定される複数の固定片を有し、
積層方向には、互いに前記固定片の位置が異なる２種類以上の前記磁極ティースが積層されていることを特徴とする固定子。
【請求項２】
前記ハウジングとして設けられた密閉容器と、
前記密閉容器内に設けられ、冷媒を圧縮する圧縮要素及び該圧縮要素を駆動する電動要素とを備え、
前記電動要素に請求項１に記載の固定子を用いたことを特徴とする密閉型圧縮機。
【請求項３】
前記電動要素に、永久磁石を有する回転子を備えた永久磁石型モーターが使用されていることを特徴とする請求項２に記載の密閉型圧縮機。
【請求項４】
前記永久磁石に、希土類永久磁石が用いられていることを特徴とする請求項３に記載の密閉型圧縮機。
【請求項５】
前記固定子鉄心の各磁極ティースには、絶縁体を介してコイルが巻き付けられていることを特徴とする請求項２〜４の何れか一項に記載の密閉型圧縮機。
【請求項６】
ハウジング内に、請求項１に記載の固定子と、該固定子の中空内に設けられた回転子と、前記固定子鉄心の各磁極ティースに絶縁体を介して巻き付けられたコイルとを備えたことを特徴とする回転機。
【請求項７】
順送される電磁鋼板を複数の打ち抜き工程を経て磁極ティースを成型し、最終工程において前記磁極ティースを組み合わせてドーナツ形状のコアを成型し、前記コアを積層して固定子の固定子鉄心を製造する金型において、
前記複数の打ち抜き工程の中に、コア毎に磁極ティースの外周部に位置の異なる固定片を成型する複数種類の固定片成型工程を有し、予め任意に設定された固定片の位置に応じて、順送される電磁鋼板を間欠に打ち抜き、固定片の位置の異なる前記磁極ティースをコア毎に成型することを特徴とする金型。
【発明の詳細な説明】
【技術分野】
【０００１】
本発明は、例えば、密閉容器又はフレーム等のハウジングに焼嵌、圧入等により固定される固定子、その固定子を備えた密閉型圧縮機及び回転機、並びに固定子の固定子鉄心を成型する金型に関するものである。
【背景技術】
【０００２】
密閉容器の締め付け力によって、固定子の固定子鉄心を保持する構造を採用しながら、回転機の効率の低下を低減する技術が提案されている。その固定子鉄心は、外径の異なる複数の電磁鋼板（コア）を交互に積層して構成されている（例えば、特許文献１参照。）。
【先行技術文献】
【特許文献】
【０００３】
【特許文献１】特開２００８−２２０１１２号公報（第５頁、図１）
【発明の概要】
【発明が解決しようとする課題】
【０００４】
密閉容器に固定子鉄心を焼嵌、圧入等により固定する際、固定子鉄心の内部には締め付け力（焼嵌時の密閉容器の収縮により発生する力）に応じた圧縮応力が発生する。この圧縮応力により、固定子鉄心を構成する電磁鋼板の透磁率が低下し、かつ鉄損が増加する。前述の特許文献１に記載の固定子鉄心は、外径の異なる複数のコアを交互に積層することで、固定子鉄心に作用する締め付け力を緩和している。
しかしながら、外径の異なる複数のコアを積層するためには、それぞれ異なる外径で打ち抜く複数の金型から製品を排出した後に組み合わせて積層する必要があり、金型の製作費、組立設備や作業費等の固定子の製造コストが増大するという課題があった。更に、後工程にてコア同士を組み合わせることにより、コアの組み合わせ積層時に僅かな位置ズレが発生する課題があった。また、異なる複数の金型にて打ち抜かれたコアの内径真円度、形状を同一にすることは極めて困難であり、コアの内径真円度、形状のアンバランスが騒音や振動の要因となる課題があった。
【０００５】
本発明は、前記のような課題を解決するためになされたもので、第１の目的は、固定子鉄心に作用する締め付け力を緩和し、これに伴って固定子鉄心の圧縮応力に起因する鉄損増加を抑制し、さらには、固定子に発生する振動、騒音を抑制できる固定子、その固定子を備えた密閉型圧縮機及び回転機並びに金型を得ることを目的とする。
第２の目的は、固定子の製造コストを上げることなく、コアの内径真円度の向上を図ることができる固定子、その固定子を備えた密閉型圧縮機及び回転機並びに金型を得ることができることを目的とする。
【課題を解決するための手段】
【０００６】
本発明に係る固定子は、周方向に磁極ティースを配置して形成された外径が同一のドーナツ形状のコアを積層して構成された固定子鉄心を備え、磁極ティースは、周方向の外周部にハウジングに固定される複数の固定片を有し、積層方向には、互いに固定片の位置が異なる２種類以上の磁極ティースが積層されている。
【発明の効果】
【０００７】
本発明によれば、磁極ティースは、周方向の外周部にハウジングに固定される複数の固定片を有し、積層方向には、互いに固定片の位置が異なる２種類以上の磁極ティースが積層されている。この構成により、コア１層当たりのハウジングとの接触面積を低減することができる。このため、ハウジングの固定子鉄心を保持する力が低減し、固定子鉄心の内部に発生する圧縮応力を緩和することができ、固定子鉄心の圧縮応力に起因する鉄損増加を抑制できる。また、ハウジングの締め付け力を低減することにより、固定子に発生する振動、騒音を抑制できる。
【図面の簡単な説明】
【０００８】
【図１】実施の形態に係る密閉型圧縮機の電動要素の概略構成を示す横断面図。
【図２】図１に示す電動要素の縦断面図。
【図３】図１に示す固定子鉄心の磁極ティースを示す平面図。
【図４】図２の変形例を示す電動要素の縦断面図。
【図５】実施の形態における金型によってドーナツ形状に打ち抜かれた第１コア及び第２コアの積層例を示す平面図。
【図６】図５とは異なる金型によって成型・配置された磁極ティースを示す平面図。
【図７】図５とは異なる金型によって成型された磁極ティースを円弧状に配置して示す平面図。
【図８】従来の密閉型圧縮機の電動要素を示す縦断面図。
【図９】図８の電動要素の固定子鉄心を上方から見て示す横断面図。
【図１０】図９の固定子鉄心の磁極ティースを示す平面図。
【発明を実施するための形態】
【０００９】
図１は実施の形態に係る密閉型圧縮機の電動要素の概略構成を示す横断面図、図２は図１に示す電動要素の縦断面図、図３は図１に示す固定子鉄心の磁極ティースを示す平面図、図４は図２の変形例を示す電動要素の縦断面図である。
【００１０】
本実施の形態の密閉型圧縮機は、密閉容器４内に組み込まれた圧縮要素（図示せず）と電動要素１とを備えている。電動要素１は、例えば図１、２に示すように、固定子２と、固定子２に発生する回転磁界により回転する回転子３とを備えたブラシレスＤＣモーター（永久磁石型モーター）からなり、冷媒を圧縮する圧縮要素を駆動する。
【００１１】
固定子２は、略円筒形状に形成された固定子鉄心５とコイル８とを備え、例えば焼嵌により密閉容器４に固定されている。ここで、焼嵌について説明する。常温において密閉容器４の内径よりも固定子２の外径を大きく設定し、密閉容器４を高温（例えば２００℃）に加熱して膨張させて、常温の固定子２の外径よりも密閉容器４の内径を大きくする。そして、高温の密閉容器４内に常温の固定子２を挿入して、密閉容器４の温度を下げると、密閉容器４が収縮し、固定子２を径方向から締め付けて固定する。これを焼嵌という。焼嵌後の固定子２には、密閉容器４の締め付け力により圧縮応力が生じるが、本実施の形態においては、この圧縮応力を低減するようにしている。この点については、後で具体例を説明する。
【００１２】
回転子３は、中心部に設けられた孔に嵌め込まれた回転子軸１３と、回転子３の外周部近傍に周方向にＮ極とＳ極とが交互に設けられた例えば６個の希土類永久磁石１１とを備えている。この回転子３は、固定子２との間に０．３〜１ｍｍ程の空隙１２を有して配置され、回転子軸１３を中心として回転可能になっている。希土類永久磁石１１は、着磁された６枚の平板形状のネオジウム、鉄、ボロンを主成分とする略正六角形を成し、回転子３の外周部近傍に設けられた６個の磁石挿入穴１０に挿入されている。
【００１３】
密閉容器４は、厚さ３ｍｍ程度の鋼板を絞り加工により成型されている。また、鋼板の厚さが６ｍｍ程度の場合は、その鋼板を曲げ加工により成型し、その接合面を溶接により結合して密閉容器４を構成する。
【００１４】
前述の固定子鉄心５は、例えば、厚さ０．１〜０．７ｍｍ程度の電磁鋼板を所定の形状に打ち抜いて成型された第１コア５ａと第２コア５ｂとを、交互に所定枚数積層して構成されている（図２参照）。固定子鉄心５は、外径が密閉容器４の外径よりも僅かに大きくなっている。常温における固定子鉄心５の外径と密閉容器４の内径との差を焼嵌代という。この焼嵌代は、固定子２の重量により異なるが（固定子２の重量が大きくなると、焼嵌代も大きくする）、数十〜数百μｍ程度である。固定子鉄心５は、第１コア５ａと第２コア５ｂの積層後に、打ち抜き時の歪みを緩和するために、焼鈍処理が行われる。なお、第１コア５ａと第２コア５ｂの材料である電磁鋼板の種類によっては、焼鈍処理を行わない場合もある。
【００１５】
固定子鉄心５の第１コア５ａと第２コア５ｂには、電磁鋼板の打ち抜きによって、周方向にほぼ等間隔に９個の磁極ティース７（７ａ、７ｂ）が形成されている。磁極ティース７ａは、第１コア５ａに設けられており、磁極ティース７ｂは、第２コア５ｂに設けられている。磁極ティース７ａ、７ｂの間には、スロット６（空間）が放射状に形成されている。各磁極ティース７ａ、７ｂは、外径側から内径側にかけてその周方向の幅が略同じになっている。また、各磁極ティース７ａ、７ｂの内径側の先端部は、周方向に両側に広がる傘状になっている。各磁極ティース７ａ、７ｂは、８箇所の磁極ティース連結用の突起１６とコア積層用の締結カシメ部１５とによって、金型内で自動的に連結・積層される。この場合、第１コア５ａと第２コア５ｂとが交互に積層され、その積層により構成された固定子鉄心５が金型から排出される。
【００１６】
各磁極ティース７には、前述のコイル８が巻かれている。コイル８は、マグネットワイヤーを絶縁体を介して磁極ティース７に直接巻きつけて形成されている。この巻線方式を集中巻線という。このコイル８は、３相Ｙ結線に結線され、回転子３に回転を与える回転磁界を発生する。コイル８のターン数や線径は、要求される特性（回転数やトルク等）、電圧仕様、スロット６の断面積に応じて定まる。本実施の形態においては、例えば、線径φ０．５ｍｍ程度のマグネットワイヤーを各磁極ティース７にそれぞれ１００ターン程度巻きつけている。
【００１７】
ここで、固定子鉄心の第１コア５ａと第２コア５ｂの外周形状について説明するが、その前に、従来の固定子鉄心を構成するコアの外周形状について図８〜図１０を用いて説明する。
図８は従来の密閉型圧縮機の電動要素を示す縦断面図、図９は図８の電動要素の固定子鉄心を上方から見て示す横断面図、図１０は図９の固定子鉄心の磁極ティースを示す平面図である。
【００１８】
図８及び図９における電動要素１の固定子２は、電磁鋼板を所定の形状に打ち抜いて成型されたコア５ｃを所定枚数積層して構成される固定子鉄心５を備えている。各コア５ｃの磁極ティース７毎の外周部９には、図１０に示すように、打ち抜きによって成型された４個の凸状の固定片９ｅ、９ｆ、９ｇ、９ｈ（切り欠き１４を除く部分）がそれぞれ設けられている。つまり、このコア５ｃは、磁極ティース７（同一位相）毎に固定片９ｅ、９ｆ、９ｇ、９ｈを有する同一形状となっている。この同一形状のコア５ｃを積層した場合、図８及び図９に示すように、同一位相毎に固定片９ｅ、９ｆ、９ｇ、９ｈが積層方向に積層される。
【００１９】
次に、本実施の形態における第１コア５ａと第２コア５ｂの外周形状について図１〜図３を用いて説明する。
第１コア５ａの磁極ティース７ａ毎の外周部９には、図３（ａ）に示すように、打ち抜きによって成型された２個の凸状の固定片９ｂ、９ｃ（切り欠き１４を除く部分）が設けられている。また、第２コア５ｂの磁極ティース７ｂ毎の外周部９には、図３（ｂ）に示すように、打ち抜きによって成型された２個の凸状の固定片９ａ、９ｄ（切り欠き１４を除く部分）が設けられている。この磁極ティース７ｂの固定片９ａ、９ｄは、磁極ティース７ａの固定片９ｂ、９ｃよりも周方向に離れた位置に設けられている。第１コア５ａと第２コア５ｂの外周形状は、互いに異なっている。
【００２０】
外周形状の異なる第１及び第２コア５ａ、５ｂを交互に積層し、この固定子鉄心５を焼嵌により密閉容器４に固定した場合（図２参照）、図１に示すように、磁極ティース７（同一位相）毎に、周方向に固定片９ａ、９ｂ、９ｃ、９ｄが配置された状態となり、かつ固定片９ｂ、９ｃと９ａ、９ｄとが積層方向に交互に積層される。
【００２１】
以上のように本実施の形態においては、第１コア５ａの各磁極ティース７ａの外周部９に設けられた突起片９ｂ、９ｃと、第２コア５ｂの各磁極ティース７ｂの外周部９に設けられた突起片９ａ、９ｄとを同一位相で積層することで、固定子鉄心５の外周表面には、積層方向に密閉容器４と接触もしくは非接触となる面が形成される。これにより、固定子鉄心５の外周表面の密閉容器４との接触面積を、図９に示す固定子鉄心５や特許文献１に記載の固定子鉄心と比べ小さくすることができる。
【００２２】
固定子鉄心５における外周表面の密閉容器４との接触面積を小さくすることにより、固定子鉄心５を密閉容器４に固定した場合に、密閉容器４の固定子鉄心５を保持する力が低減される。そのため、例えば、密閉容器４の固定子鉄心５を締め付ける力が低減し、固定子鉄心５の内部に発生する圧縮応力を緩和することができる。これにより、固定子鉄心５の圧縮応力に起因する鉄損増加を抑制できる。
【００２３】
鉄損の応力劣化は、磁束密度が高い程大きい。図１に示すように、コイル８が巻線密度が高い集中巻線で、かつ回転子３に希土類永久磁石１１を使用した電動要素１においては、磁束密度が高いので、固定子鉄心５の焼嵌時における密閉容器４との接触面積を小さくし、保持力を保ったまま密閉容器４の固定子鉄心５を締め付ける力を低減することによる鉄損の応力劣化の抑制効果は特に大きくなる。
【００２４】
また、固定子鉄心５は、密閉容器４の焼嵌による締め付ける力を低減することにより、固定子２に発生する振動、騒音を密閉容器４に伝わり難くなり、振動、騒音の低減にも有効である。
【００２５】
なお、本実施の形態では、第１コア５ａと第２コア５ｂとを交互に積層しているが、これに代えて、図３（ｃ）に示す磁極ティース７ｃで構成されるコアと、図３（ｄ）に示す磁極ティース７ｄで構成されるコアとを交互に積層してもよい。
また、第１コア５ａと第２コア５ｂとを交互に積層しているが、これに限定されるものではなく、例えば図４に示すように、第１コア５ａを１枚、第２コア５ｂを３枚という順序で積層してもよい。
また、図３に示すように磁極ティース７ａ、７ｂ、７ｃ、７ｄでそれぞれ構成される４種類のコアを交互に繰り返し積層してもよい。
【００２６】
次に、前述した固定子鉄心５を製造するための生産設備・金型について簡単に説明する。
一般的に、固定子鉄心を製造する場合には、高速プレスを用い、金型の構造、使用される材料巾、１ストローク当たりの材料送り長さ等の条件により、１５０〜４００ｓｐｍ程度の打ち抜きスピードで打ち抜き加工が行われる。なお、金型には、回転子鉄心と固定子鉄心とを同時に打抜く方式や、各々を別々の金型で打抜く方式がある。
【００２７】
固定子鉄心５の製造に使用される金型は、一般的に順送方式（順送金型）が採用されており、打ち始めの工程より順々に電磁鋼板を送りながら、磁極ティース部７、内径部、積層用の締結カシメ部１５、ティース連結用の突起１６等が打ち抜かれ、最終工程にて所定の製品形状（ドーナツ形状のコア）が成型され、自動的に積層される。本実施の形態においては、第１及び第２コア５ａ、５ｂが交互に積層される。また、金型は、自動積層しながら所定のコア高さに分離する構造となっている。
【００２８】
ここで、本実施の形態における順送金型の打ち抜き方法について説明する。図５は金型内の固定子鉄心５の最終打ち抜き工程でティース連結コアが打ち抜かれた時の形状を示しており、図のようなドーナツ形状の形で自動積層される。本実施の形態における順送金型は、第１コア５ａの外周部９に固定片９ｂ、９ｃを、第２コア５ｂの外周部９に固定片９ａ、９ｄをそれぞれ成型するために、複数の刃物と複数の打ち抜き工程（固定片成型工程）を有し、最終工程前までに配置したこれらの工程は各工程の打ち抜きを任意の設定により有効・無効となる間欠制御機構を有している。
【００２９】
この間欠制御機構を打ち抜き工程に適用することで、最終工程にて図４に示すような磁極ティース７ａ、７ｂ（又は７ｃ、７ｄ）を有するコアの組合せを任意に自動積層することが可能となる。本実施の形態では、４つのコア形状を例に示したが、積層コア１枚当たりの外周部９の長さが略同等であるならば、任意にコア形状に変更しても、焼嵌後の固定子鉄心５の内部に発生する圧縮応力を緩和することに対して同様の効果を得られる。
【００３０】
なお、固定子鉄心５の製造において、焼嵌後の固定子鉄心５の内部に発生する圧縮応力を緩和するために、固定片の形状（外径）を積層方向全体で変化させると、圧縮応力がアンバランスとなるため焼嵌後の固定子鉄心５の内径真円度が悪化し、騒音や振動の要因となる。そこで、本実施の形態における自動積層された固定子鉄心５は、同一のコア外径でかつコア１層当たりの密閉容器４との固定が略同一で、かつ外周形状の異なるコアを任意に変化させて積層するため、１層当たりの密閉容器４との接触面積を低減しながらも積層コア全体としてみると、図８及び図９に示す固定子鉄心５と同じ焼嵌が可能となり、圧縮応力のアンバランスを回避できる。そのため、焼嵌後の固定子鉄心５の内径真円度は、図８及び図９に示す固定子鉄心５と同等に維持することが可能であり、騒音、振動悪化を抑制できる。
【００３１】
また、固定子鉄心５の内径真円度の悪化を改善するためには、内径を打抜く刃物寸法を補正することで解決できる方法もあるが、本実施の形態では、図８及び図９に示す固定子鉄心５と同等の内径真円度に維持できるため、新たな刃物の製作は不要であり、高額な刃物の製作費用も抑制できる。
【００３２】
よって、本実施の形態の固定子鉄心５を用いることにより、密閉容器４が固定子鉄心５を締め付ける力を低減でき、固定子鉄心５の内部に発生する圧縮応力が緩和され、圧縮応力による鉄損劣化を小さくすることができ、応力緩和の固定子鉄心５の製作が実現できる。
【００３３】
また、前述の特許文献１に示すように、外径が異なる複数のコアを積層するためには、それぞれ異なる外径で打ち抜かれる複数の金型から製品を排出した後に組み合わせて積層する必要がある。そのため、金型の製作費、組立設備や作業費等の固定子の製造コストが増大し、更に後工程にて異なるコア同士を組み合わせることにより各コアの組み合わせ積層時に僅かな位置ズレが発生する。また、異なる複数の金型にて打抜かれた各コアの内径真円度、形状を同一にすることは極めて困難であり、各コアの内径真円度、形状のアンバランスが騒音や振動の要因となる。
【００３４】
そこで、本実施の形態においては、１つの順送金型にて外周部９に成型された異形の固定片９ａ〜９ｄを有する第１及び第２コア５ａ、５ｂの組み合わせ積層が任意に可能となり、更に同一の順送金型内で第１及び第２コア５ａ、５ｂを自動積層するため位置ずれが発生せず、かつ第１及び第２コア５ａ、５ｂの内径真円度、形状が安定するため、高精度での積層が可能となり、かつ製造コストを抑制した応力緩和が可能な固定子鉄心５の製作が実現できる。
【００３５】
なお、本実施の形態では、焼嵌で密閉容器４に固定子鉄心５を固定する例を説明したが、その他に、冷し嵌（固定子２を冷却する方法）、あるいは圧入等の方法により密閉容器４に固定子鉄心５を固定する場合でもよい。
【００３６】
本実施の形態では、密閉型圧縮機の電動要素１として、ブラシレスＤＣモーターを例に説明したが、密閉型圧縮機以外に使用される誘導電動機等の永久磁石を用いない回転機にも適用してもよく、本実施の形態と同様の効果を得ることができる。
【００３７】
固定子鉄心５を製造に用いた順送金型は、固定子鉄心５がティース連結コアのもので説明したが、これに限定されるものではなく、回転子３の鉄心及び固定子鉄心５を同時に打抜くことができる金型にも適用できる。
【００３８】
また、固定子鉄心のみを打抜く金型においては、図５に示すような一般的なドーナツ形状に打ち抜く方式の他に、図６に示すような直線状に磁極ティース７を配置した方式、あるいは図７に示すような円弧状に任意の数の磁極ティース７を配置し、後工程にて組立、接合する方式を採用する金型においても適用される。
【００３９】
さらに、本実施の形態においては、固定子鉄心５がティース連結コアのもので説明したが、固定子鉄心５がティース連結用の突起１６を設けないティース分割コアや、一体形状コアで構成されるものであっても電磁鋼板の積層の方法が同じであれば、同様の効果を得ることができる。
【符号の説明】
【００４０】
１  電動要素、２  固定子、３  回転子、４  密閉容器、５  固定子鉄心、５ａ  第１コア、５ｂ  第２コア、５ｃ  従来のコア、６  スロット、７（７ａ〜７ｄ）  磁極ティース、７ｅ  従来の磁極ティース、８  コイル、９  磁極ティースの外周部、９ａ〜９ｄ  固定片、９ｅ〜９ｈ  従来の固定片、１０  磁石挿入穴、１１  希土類永久磁石、１２  空隙、１３  回転子軸、１４  切り欠き、１５  コア積層用の締結カシメ部、１６  磁極ティース連結用の突起。
【図１】
2014166095.tif 000003
【図２】
2014166095.tif 000004
【図３】
2014166095.tif 000005
【図４】
2014166095.tif 000006
【図５】
2014166095.tif 000007
【図６】
2014166095.tif 000008
【図７】
2014166095.tif 000009
【図８】
2014166095.tif 000010
【図９】
2014166095.tif 000011
【図１０】
2014166095.tif 000012